(57)【特許請求の範囲】
【請求項１】
高速インタフェース部と、低速インタフェース部とを含む複数の高速側伝送装置の前記高速インタフェース部に、冗長構成の高速ネットワークを接続し、前記低速インタフェース部に低速側伝送装置を介して迂回経路に切替可能の低速ネットワークを接続し、該低速ネットワーク又は前記低速側伝送装置に接続された端末装置間でデータを伝送するネットワーク制御システムに於いて、
前記高速側伝送装置は、前記高速インタフェースを介した現用系と予備系との信号断検出又は警報受信検出を行う警報検出部と、該警報検出部により前記現用系と前記予備系との両系の信号断検出又は警報受信検出により前記低速側伝送装置に対してシャットダウンを行うシャットダウン制御部とを有する
ことを特徴とするネットワーク制御システム。
【請求項２】
前記高速側伝送装置は、前記低速インタフェース部を介した前記低速側伝送装置からの信号断を検出する入力監視部と、該入力監視部により信号断を検出した時に、前記高速インタフェース部を介して前記現用系と前記予備系との両系に警報信号を挿入するオーバヘッド処理部とを有することを特徴とする請求項１記載のネットワーク制御システム。
【請求項３】
前記低速側伝送装置は、前記高速側伝送装置からのシャットダウンにより、前記低速ネットワークを介した迂回経路に切替える切替制御部を有することを特徴とする請求項１記載のネットワーク制御システム。
【請求項４】
高速インタフェース部と、低速インタフェース部とを含む複数の高速側伝送装置の前記高速インタフェース部に、冗長構成の高速ネットワークを接続し、前記低速インタフェース部に低速側伝送装置を介して迂回経路に切替可能の低速ネットワークを接続し、該低速ネットワーク又は前記低速側伝送装置に接続された端末装置間でデータを伝送するネットワーク制御システムに於ける障害救済方法に於いて、
前記高速側伝送装置は、前記高速インタフェース部を介した現用系と予備系との両系の信号断検出又は該両系からの警報受信検出時に、前記低速インタフェース部を介して前記低速側伝送装置に対してシャットダウンを行う過程を含む
ことを特徴とする障害救済方法。
【請求項５】
前記低速インタフェース部を介した前記低速側伝送装置からの信号断検出時に、前記高速インタフェース部を介して前記現用系と前記予備系との両系に警報信号を送出する過程を含むことを特徴とする請求項４記載の障害救済方法。
【発明の詳細な説明】
【０００１】
【発明の属する技術分野】
本発明は、現用系と予備系（バックアップ系）との冗長構成を有する高速ネットワークと、迂回経路を形成できる低速ネットワークとを有するネットワークに於いて、障害発生時に、低速ネットワーク側に於ける迂回経路への切替えを迅速化したネットワーク制御システム及び障害救済方法に関する。
【０００２】
【従来の技術】
高速ネットワークとしては、ＳＤＨ（Ｓｙｎｃｈｒｏｎｏｕｓ  Ｄｉｇｉｔａｌ  Ｈｉｅｒａｃｈｙ）又はＳＯＮＥＴ（Ｓｙｎｃｈｒｏｎｏｕｓ  Ｏｐｔｉｃａｌ  Ｎｅｔｗｏｒｋ）方式を適用したネットワークが知られている。又複数の高速側伝送装置を光伝送路により二重リング状に接続し、ＳＤＨ又はＳＯＮＥＴ方式によるフレーム構成で、光信号として伝送するネットワークが知られている。この二重リング伝送路を用いた高速ネットワークとして、ＵＰＳＲ（Ｕｎｉ−ｄｉｒｅｃｔｉｏｎａｌ  Ｐａｔｈ  Ｓｗｉｔｃｈｅｄ  Ｒｉｎｇ：単一方向パス切替リング）又はＢＬＳＲ（Ｂｉｄｉｒｅｃｔｉｏｎａｌ  Ｌｉｎｅ  Ｓｗｉｔｃｈｅｄ  Ｒｉｎｇ；両方向回線切替リング）等の方式が知られている。
【０００３】
このような二重リング伝送路を用いたことにより、例えば、一方のリング伝送路を現用系、他方のリング伝送路を予備系とし、高速伝送装置は、信号断検出や警報検出により、迅速に現用系から予備系に切替えることができる。従って、ネットワークの信頼性を向上することができる。
【０００４】
図２１は、前述の高速ネットワークと、低速ネットワークとを含むネットワーク構成を示し、１０１〜１０４は高速側伝送装置、１０５は光伝送路、１０６は低速ネットワーク、１０７は監視装置、１１１〜１１３は低速側伝送装置を示す。高速側伝送装置１０１〜１０４を二重リング状に光伝送路１０５により接続して高速ネットワークを構成するもので、高速側伝送装置１０１〜１０４は、高速インタフェース部と、低速インタフェース部と、ドロップ及びインサートの処理等を行うクロスコネクト部等を有する信号編集部とを含むものである。
【０００５】
又低速側伝送装置１１１〜１１３は、低速側の伝送方式に従った構成を有するものである。例えば、イーサネット（登録商標）の名称で知られているＩＥＥＥ８０２．３として標準化されたＣＳＭＡ／ＣＤ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ｄｅｔｅｃｔｉｏｎ）を適用した伝送方式を用いることができる。この伝送方式による場合、例えば、送信元と送信先とを含むＭＡＣ（Ｍｅｄｉａ  Ａｃｃｅｓｓ  Ｃｏｎｔｒｏｌ）ヘッダと、０〜９２１６バイトのＭＡＣデータと、４バイトのフレームチェックシーケンス（ＦＣＳ）とからなるＭＡＣフレームを低速ネットワーク１０６等を介して伝送することができる。
【０００６】
従って、低速側伝送装置１１１〜１１３は、交換機，ルータ，ゲートウェイ，レイヤ２スイッチ，レイヤ３スイッチ等により構成することができる。又監視装置１０７は、高速側伝送装置１０４を介して各部の状態情報や障害情報等を収集して、ネットワークの保守管理を行うものである。又ユーザ側の端末装置は、低速側伝送装置又は低速ネットワークに接続されるものである。
【０００７】
【発明が解決しようとする課題】
低速側伝送装置１１１〜１１３に於いて処理するＭＡＣフレームを高速側伝送装置１〜４を介して伝送する場合に、ＳＤＨフレーム又はＳＯＮＥＴフレームのペイロードにマッピングして伝送することになり、その場合に、高速ネットワーク側の障害発生は、二重リング状の光伝送路１０５により高速側伝送装置１０１〜１０４間を接続した冗長構成により、現用予備の切替えと同様に伝送経路を切替えて伝送を継続することができる。しかし、両系の障害発生時には、高速ネットワークを介した低速側伝送装置間のデータ伝送ができないことになる。
【０００８】
低速側伝送装置では、ルータ間で行われているＲＩＰ（Ｒｏｕｔｉｎｇ  Ｉｎｆｏｒｍａｔｉｏｎ  Ｐｒｏｔｏｃｏｌ）又はＯＳＰＦ（Ｏｐｅｎ  Ｓｈｏｒｔｅｓｔ  Ｐａｔｈ  Ｆｉｒｓｔ）等のプロトコルに従ったハローパケットの送受信機能を含むもので、高速ネットワークの障害発生により、高速側伝送装置と低速側伝送装置との間のデータ伝送ができなくなった場合、ハローパケットを所定回数送受信する処理を行い、その結果により高速ネットワーク側の障害発生を認識して、低速側伝送装置は迂回経路への切替えを制御することになる。従って、迂回経路への切替えに要するまでの時間が長くなり、ネットワークの信頼性についての問題があった。
【０００９】
又ネットワークの信頼性確認や障害の有無検出等の為に、疎通確認試験を行うことがある。その場合、低速側では、低速ネットワークノードの始点（送信アドレスＳＡ）と終点（受信アドレスＤＡ）とを指定することにより、エンド・ツウ・エンドの疎通確認を行うことができるが、これは、単に始点，終点間の疎通確認のみで、ノード間の経路を意識して行うことができないものであった。又高速側では、始点（送信アドレスＳＡ）から送出する総てのＳＤＨフレームのペイロードに試験用信号が挿入されることになり、ユーザデータを伝送するパスを専有する問題があり、有効にネットワークの信頼性を向上することができないものであった。
【００１０】
本発明は、障害発生時には迅速に迂回経路に切替えることにより、高速ネットワークと低速ネットワークとを含むネットワークの信頼性を向上することを目的とする。
【００１１】
【課題を解決するための手段】
本発明のネットワーク制御システムは、図１を参照して説明すると、高速インタフェース部と、低速インタフェース部６とを含む複数の高速側伝送装置１〜４の高速インタフェース部に、冗長構成の光伝送路５からなる高速ネットワークを接続し、低速インタフェース部６に低速側伝送装置１１〜１３を介して迂回経路に切替可能の低速ネットワーク１０を接続し、この低速ネットワーク又は低速側伝送装置に接続された端末装置間でデータを伝送するネットワーク制御システムであって、高速側伝送装置１〜４は、高速インタフェースを介した現用系と予備系との信号断検出又は警報受信検出を行う警報検出部と、この警報検出部により現用系と予備系との両系の信号断検出又は警報受信検出により、低速側伝送装置に対してシャットダウンを行うシャットダウン制御部とを有するものである。
【００１２】
又高速側伝送装置１〜４は、低速インタフェース部６を介した低速側伝送装置１１〜１３からの信号断を検出する入力監視部と、この入力監視部により信号断を検出した時に、高速インタフェース部を介して現用系と予備系との両系に警報信号を挿入するオーバヘッド処理部とを有するものである。又低速側伝送装置は、高速側伝送装置からのシャットダウンにより、低速ネットワークを介した迂回経路に切替える切替制御部を有するものである。
【００１３】
又本発明の障害救済方法は、高速インタフェース部と、低速インタフェース部６とを含む複数の高速側伝送装置１〜４の高速インタフェース部に、冗長構成の高速ネットワークを接続し、低速インタフェース部６に低速側伝送装置１１〜１３を介して迂回経路に切替可能の低速ネットワーク１０を接続し、この低速ネットワーク又は低速側伝送装置に接続された端末装置間でデータを伝送するネットワーク制御システムに於ける障害救済方法であって、高速側伝送装置１〜４は、高速インタフェース部を介した現用系と予備系との両系の信号断検出又は該両系からの警報受信検出時に、低速インタフェース部を介して低速側伝送装置に対してシャットダウンを行う過程を含むものである。
【００１４】
又低速インタフェース部を介した低速側伝送装置からの信号断検出時に、高速インタフェース部を介して、現用系と予備系との両系に警報信号を送出する過程を含むものである。
【００１５】
【発明の実施の形態】
図１は本発明の実施の形態のネットワーク制御システムの説明図であり、４個の高速側伝送装置１〜４を二重リング状の光伝送路５により接続して高速ネットワークを構成し、例えば、光信号によるＳＤＨフレームによりデータを伝送する。又６は低速インタフェース部、７は監視装置、１０は低速ネットワーク、１１，１２，１３は低速側伝送装置を示す。高速側伝送装置１〜４は、冗長構成の光伝送路５の現用予備の切替制御、折り返し接続制御、クロスコネクト機能、インサート・ドロップ機能等を含むものである。
【００１６】
又低速ネットワーク１０を低速側伝送装置１１，１３間に接続して、低速側伝送装置１１，１３間の高速ネットワークを介したデータ伝送に対して、低速ネットワーク１０は迂回経路を形成することができる場合を示す。即ち、低速側伝送装置１１，１３は、迂回経路に切替える切替制御部を備えている。なお、高速側伝送装置１〜４は更に多数接続することを可能であり、又低速側伝送装置１２に対して低速ネットワークを接続することも可能である。
【００１７】
又低速側伝送装置１１〜１３及び低速ネットワーク１０には、図示を省略した端末装置等を接続するもので、監視装置７及び低速側伝送装置１１〜１３と高速側伝送装置１〜４との間を光信号で伝送する構成とすることができる。又高速側伝送装置４と接続した監視装置７は、高速ネットワークを介して各部の障害情報等を収集し、各部の保守管理を行うものである。
【００１８】
図２は高速側伝送装置の要部機能ブロック図であり、２１ａ，２１ｂはイースト側とウエスト側との光伝送路に接続する高速ＩＦ部、２２は信号編集部、２３は低速インタフェース部、２４はシャットダウン制御部、２６はグループＩＤデータベース、３１ａ，３１ｂは電気信号と光信号との変換を行う変換部、３２はオーバヘッド処理部、３３はグループＩＤ比較部、３４は警報検出部、３５はグループＩＤ挿入部、３６は入力監視部、３７はトラフィック監視部、３８は多重部、３９は試験フレーム生成・モニタ部、４０は試験制御部、４１は電気信号と光信号との変換を行う変換部を示す。又実線矢印は、主信号や警報情報等の伝送経路を示し、点線矢印は制御情報の伝送経路を示す。
【００１９】
高速ＩＦ部２１ａ，２１ｂは、図１に於ける光伝送路５を介してイースト側の高速側伝送装置及びウエスト側の高速側伝送装置と接続し、変換部３１ａ，３１ｂにより電気信号を光信号に変換して送信し、又光信号を受信して電気信号に変換する。又低速インタフェース部２３は、図１に於ける低速インタフェース部６に相当し、低速側伝送装置との間を光信号により、前述のＩＥＥＥ８０２．３によるＭＡＣフレームにより伝送する場合を示す。この低速側伝送装置は、ＩＥＥＥ８０２．３によるＭＡＣフレームを伝送できる交換機，ルータ，ゲートウェイ，ＬＡＮスイッチ，レイヤ２スイッチ，レイヤ３スイッチ等の構成を有し、例えば、低速ネットワーク１０（図１参照）を介して、高速ネットワークに対する迂回経路に切替える機能も含むものである。
【００２０】
信号編集部２２は、オーバヘッド処理部３２とグループＩＤ比較部３３と警報検出部３４とグループＩＤ挿入部３６と入力監視部３７とを含む場合を示し、オーバヘッド処理部３２は、ＳＤＨフレームのオーバヘッドの各種の情報の抽出及び挿入の処理を行うものである。又警報検出部３４は、高速ネットワークの光信号の断や警報情報の検出を行うものである。又入力監視部３６は、低速インタフェース部２３側の障害の有無等を監視するものである。
【００２１】
又シャットダウン制御部２４は、信号編集部２２の警報検出部３４又はグループＩＤ比較部３３からの制御情報に従って、低速インタフェース部２３の変換部４１の制御等によりシャットダウン制御を行うものである。又グループＩＤデータベース２５は、低速側伝送装置を接続する低速インタフェース部２３のポートを、ＶＬＡＮ（Ｖｉｒｔｕａｌ  Ｌｏｃａｌ  Ａｒｅａ  Ｎｅｔｗｏｒｋ）と同様にグループ化して、それぞれグループＩＤを付与して格納したものである。
【００２２】
又グループＩＤ比較部３３は、オーバヘッド処理部３２に於いて抽出したグループＩＤが、自高速側伝送装置の低速インタフェース部２３のポート番号に対応するか否かを、グループＩＤデータベース２５を参照して判定するものである。又グループＩＤ挿入部３５は、障害発生時に、グループＩＤデータベース２５からのグループＩＤをオーバヘッド処理部３２に転送して、ＳＤＨフレームに挿入する処理を行う。
【００２３】
又低速インタフェース部２３は、トラフィック監視部３７と多重部３８と試験フレーム生成・モニタ部３９と試験制御部４０と変換部４１とを含む機能を有し、多重部３８は、レイヤ２スイッチの機能を含むもので、ＭＡＣフレームのヘッダの送信先アドレスを基に高速ネットワーク側か低速ネットワーク側かの送信先の制御を行い、又ブロードキャスト制御も可能とするものである。
【００２４】
又試験制御部４０は、疎通試験等を行う機能を含み、試験フレーム生成・モニタ部３９を制御して試験フレームを生成し、又トラフィック監視部３７による高速ネットワークのトラフィックを監視して、試験フレームの送出等の制御を行うと共に、受信した試験フレームのモニタを行うものである。この場合、試験フレーム生成・モニタ部３９に、固有のＭＡＣアドレスを付与して、対向高速側伝送装置の試験フレーム生成・モニタ部３９間で試験フレームの送受信により、疎通確認試験等を行うことができる。
【００２５】
図３は両系断時の説明図であり、図１と同一符号は同一部分を示し、高速側伝送装置１のイースト側とウエスト側との光伝送路５がａ点とｂ点とに於いて断となった場合には、図４に示す動作によって障害を救済する。即ち、図４の（Ａ）は、図２に示す高速側伝送装置の要部の機能を示し、（Ｂ）はステップ（ａ１）〜（ａ４）からなる処理フローチャートを示し、（Ｃ）はシャットダウンの条件を示す。
【００２６】
図３に於けるａ点及びｂ点の障害発生により、高速側伝送装置１の警報検出部３４は、イースト側の高速ＩＦ部２１ａとウエスト側の高速ＩＦ部２１ｂとを介した警報（ＬＯＳ；Ｌｏｓｓ  Ｏｆ  Ｓｉｇｎａｌ）を検出することになる（ａ１）。それにより、警報検出部３４は、シャットダウン制御部２４に、高速側の両系断を通知する（ａ２）。シャットダウン制御部２４は、低速インタフェース部２３に対してシャットダウン制御を行う（ａ３）。低速インタフェース部２３は、シャットダウン、即ち、低速側伝送装置１１に対して信号送出を停止する（ａ４）。この場合、図２に於ける変換部４１を制御して、光信号の送出を停止させる。
【００２７】
又低速側伝送装置１１，１３間で高速ネットワークを介してデータ伝送している場合に、前述のシャットダウンにより、高速側伝送装置１からの信号が断となり、これを低速側伝送装置１１が検出して、既に知られている構成及び制御手段により、例えば、低速ネットワーク１０を介して低速側伝送装置１３との間を接続する迂回経路に切替える。それにより、両系断の高速ネットワークの経路を、低速ネットワーク１０を介した迂回経路に切替えてデータの伝送を継続することができる。
【００２８】
なお、この場合のシャットダウン制御の判定条件は、（Ｃ）に示すように、イースト（Ｅａｓｔ）側とウエスト（Ｗｅｓｔ）側との何れか一方のＬＯＳ検出の場合は、高速側伝送装置の信号編集部２２の制御によって、現用系と予備系との切替えにより低速側伝送装置との間の通信を継続できるから、シャットダウン制御を行わないが、両系のＬＯＳ検出の場合のみシャットダウン制御を行うものである。
【００２９】
又図３に於いて、光伝送路５のａ点とｃ点とに於いて断となると、高速側伝送装置４は、ＬＯＳ検出により次の伝送方向の高速側伝送装置１に対してＰ−ＡＩＳ（Ｐａｓｓ−Ａｌａｒｍ  Ｉｎｄｉｃａｔｉｏｎ  Ｓｉｇｎａｌ；パス警報信号）を送出する。又高速側伝送装置１は、ａ点の断をＬＯＳにより検出する。この場合、高速側伝送装置１は、Ｐ−ＡＩＳとＬＯＳとを検出することになる。
【００３０】
図５は前述のＬＯＳ又はＰ−ＡＩＳ（Ｐａｓｓ−Ａｌａｒｍ  Ｉｎｄｉｃａｔｉｏｎ  Ｓｉｇｎａｌ；パス警報信号）検出によりシャットダウン制御を行う場合の高速側伝送装置の要部の機能（Ａ）と、ステップ（ｂ１）〜（ｂ４）からなる処理フローチャート（Ｂ）と、シャットダウンの条件（Ｃ）とを示す。この図５の（Ａ）は、図４の（Ａ）の機能と同様であるが、ＬＯＳ検出又はＰ−ＡＩＳ検出を警報検出部３４に於いて行うものである。
【００３１】
又図５の（Ｂ）のステップ（ｂ１）は、警報検出部３４に於いて、イースト（Ｅａｓｔ）側とウエスト（Ｗｅｓｔ）側との両系からのＬＯＳ又はＰ−ＡＩＳを検出した場合を示し、それにより、図４の（Ｂ）のステップ（ａ２）〜（ａ４）と同様なステップ（ｂ２）〜（ｂ４）によりシャットダウン制御部２４により低速インタフェース部２３に対するシャットダウン制御を行う。
【００３２】
又図５の（Ｃ）のシャットダウン制御の条件は、図４の（Ｃ）に示す条件と同様に、イースト（Ｅａｓｔ）側とウエスト（Ｗｅｓｔ）側との両系のＬＯＳ又はＰ−ＡＩＳを検出した場合のみ、シャットダウン制御有りとするものである。従って、図３に於けるａ点とｃ点との光伝送路の断により、高速側伝送装置１は、ウエスト側のＰ−ＡＩＳを検出し、同時に、イースト側のＬＯＳを検出することになるから、シャットダウン制御を行う。それにより、低速側伝送装置１１に於ける迂回経路への切替えが行われる。
【００３３】
図６は入力監視部に於ける障害検出時の説明図であり、高速側伝送装置の要部を示し、低速インタフェース部２３と図示を省略した低速側伝送装置との間のｄ点に於ける断又は低速インタフェース部２３の障害や抜去等によるｅ点に於ける断が発生すると、入力監視部３６は低速側の断検出を行ってオーバヘッド処理部３２を制御して、Ｐ−ＡＩＳを挿入し、高速ＩＦ部２１ａ，２１ｂを介してＰ−ＡＩＳを送出する。
【００３４】
図７は図６のｄ点の断の場合の処理フローチャート（Ａ）と、Ｐ−ＡＩＳ送出の判定条件（Ｂ）とを示す。図６に於けるｄ点の障害により、入力監視部３６は低速インタフェース部２３を介した低速側伝送装置からの入力断を検出する（ｃ１）。そして、オーバヘッド処理部３２に低速側入力断検出を通知する（ｃ２）。オーバヘッド処理部３２は、低速側に対応するパスのオーバヘッドにＰ−ＡＩＳを挿入して、高速インタフェース部（高速ＩＦ部２１ａ，２１ｂ）に送出する（ｃ３）。
【００３５】
それにより、高速インタフェース部のイースト側の高速ＩＦ部２１ａとウエスト側の高速ＩＦ部２１ｂから両系の光伝送路にＰ−ＡＩＳが送出されることになる。この高速側伝送装置に対向した高速側伝送装置は、図５について説明した処理により、両系からのＰ−ＡＩＳを受信検出することにより、低速インタフェース部をシャットダウンする（ｃ４）。この場合のＰ−ＡＩＳの挿入条件は、図７の（Ｂ）に示すように、入力監視部３６に於いて低速インタフェース部の入力断を検出した場合である。
【００３６】
図８は図６のｅ点の断に相当する低速インタフェース部側の障害の場合の処理フローチャート（Ａ）と、Ｐ−ＡＩＳ送出の判定条件（Ｂ）とを示す。低速インタフェース部２３の障害や抜去により、図６のｅ点の断に相当する障害発生となる。これを入力監視部３６により検出し（ｄ１）、オーバヘッド処理部３２に低速側入力断を通知する（ｄ２）。
【００３７】
オーバヘッド処理部３２は、図７のステップ（ｃ３）と同様に、低速側に対応するパスのオーバヘッドにＰ−ＡＩＳを挿入して高速インタフェース部（高速ＩＦ部２１ａ，２１ｂ）に送出する（ｄ３）。それにより、高速インタフェース部のイースト側の高速ＩＦ部２１ａとウエスト側の高速ＩＦ部２１ｂから両系の光伝送路にＰ−ＡＩＳが送出されることになる。この高速側伝送装置に対向した高速側伝送装置は、図５について説明した処理により、両系からのＰ−ＡＩＳを受信検出することにより、低速インタフェース部をシャットダウンする（ｄ４）。この場合のＰ−ＡＩＳの挿入条件は、図８の（Ｂ）に示すように、低速インタフェース部が故障又は抜去の場合で、この状態を入力監視部３６に於いて検出した時に、Ｐ−ＡＩＳ挿入を行う。
【００３８】
図９は障害発生時の説明図であり、図１及び図３と同一符号は同一部分を示し、光伝送路５のａ点とｂ点とに障害が発生した場合を示す。高速側伝送装置１は、図３及び図４について説明したように、両系のＬＯＳ検出により、低速インタフェース部６のシャットダウンを行い、それにより、低速側伝送装置１１は迂回経路に切替える。又高速側伝送装置１は、Ｐ−ＲＤＩ（Ｐａｓｓ−ＲｅｍｏｔｅＤｅｆｅｃｔ  Ｉｎｄｉｃａｔｉｏｎ；遠端受信故障表示）を送出する。それにより、対向高速側伝送装置３に於いて両系のＲ−ＲＤＩを検出し、低速インタフェース部６のシャットダウンを行う。それにより、低速側伝送装置１３は迂回経路に切替える。従って、対向した低速側伝送装置１１，１３間は迂回経路に切替えてデータを伝送することができる。
【００３９】
図１０は前述のＰ−ＲＤＩ挿入の場合の高速側伝送装置の要部の機能（Ａ）と判定条件（Ｂ）とを示すもので、警報検出部３４に於いて両系のＬＯＳ検出を行うと、図４について説明した場合と同様にシャットダウン制御部２４に通知し、シャットダウン制御部２４は低速インタフェース部２３のシャットダウンを行う。それにより、この低速インタフェース部２３に接続された低速側伝送装置は迂回経路に切替える。
【００４０】
又警報検出部３４は、オーバヘッド処理部３２に両系の断検出を通知し、オーバヘッド処理部３２は、Ｐ−ＲＤＩをオーバヘッドに挿入して、イースト側の高速ＩＦ部２１ａとウエスト側の高速ＩＦ部２１ｂとを介して両系に送出する。それにより、対向する高速側伝送装置の警報検出部３４に於いて両系のＰ−ＲＤＩを検出することになり、シャットダウン制御部２４に通知すると、シャットダウン制御部２４は低速インタフェース部２３のシャットダウンを行う。従って、この低速インタフェース部２３に接続された低速側伝送装置は、障害発生後に、迅速に迂回経路に切替えることができる。
【００４１】
この場合の判定条件は、図１０の（Ｂ）に示すように、警報検出部３４は、イースト（Ｅａｓｔ）側とウエスト（Ｗｅｓｔ）側との両系のＬＯＳ又はＰ−ＡＩＳ検出の場合のみ、シャットダウン制御を行い、且つＰ−ＲＤＩをオーバヘッドに挿入して送出する。
【００４２】
図１１は障害発生時のフローチャートを示し、警報検出部３４に於いてイースト（Ｅａｓｔ）側とウエスト（Ｗｅｓｔ）側との両系の信号断を検出すると（ｅ１）、オーバヘッド処理部３２とシャットダウン制御部２４とに高速側の両系断を通知する（ｅ２）。それにより、シャットダウン制御部２４は低速インタフェース部２３をシャットダウンする（ｅ５）。それによって、低速側伝送装置は迂回経路に切替える。又オーバヘッド処理部３２は、該当するパスにＰ−ＲＤＩを挿入して両系に送出する（ｅ３）。
【００４３】
対向高速側伝送装置に於いては、警報検出部３４により両系のＰ−ＲＤＩを検出することなるから、シャットダウン制御部２４に通知し、低速インタフェース部２３をシャットダウンする（ｅ４）。それにより、低速側伝送装置は迂回経路に切替える。
【００４４】
又図９に於いて、ａ点又はｂ点の何れか一方でも障害が回復すると、高速側伝送装置１に於いては、図１０の（Ｂ）に示すシャットダウン判定条件から外れるので、低速インタフェース部６，２３のシャットダウンを中止する。それにより、低速側伝送装置１１は、迂回経路から高速ネットワーク側に切り戻す。又高速側伝送装置２，４の方向に送出していたＰ−ＲＤＩの送出を停止する。それにより、高速側伝送装置３に於いては、高速側伝送装置２，４を介して両系からのＰ−ＲＤＩの受信がなくなるから、図１０の（Ｂ）に示すシャットダウン判定条件から外れるので、低速インタフェース部６，２３のシャットダウンを中止する。それにより、低速側伝送装置１３は、迂回経路から高速ネットワーク側に切り戻して、最初の伝送状態に戻ることになる。
【００４５】
図１２は低速側障害発生時の説明図であり、図１及び図３と同一符号は同一部分を示す。例えば、高速側伝送装置３と低速側伝送装置１３との間の低速側に於けるｆ点で障害が発生すると、図６に於けるｄ点に於ける障害発生と同様に、入力監視部３６により入力断を検出することになる。この場合、入力断となったポートのグループＩＤを送出する。即ち、低速インタフェース部２３のポート毎にグループＩＤを付与し、そのポート対応の入力断の場合に、高速側伝送装置３はグループＩＤを送出する。
【００４６】
例えば、高速側伝送装置２には、入力断を示すグループＩＤに相当するグループＩＤが存在しないとすると、そのグループＩＤをそのまま転送する。又高速側伝送装置１に、入力断を示すグループＩＤに相当するグループＩＤが存在すると、そのグループＩＤを受信し、対応するポートのシャットダウン制御を行う。
【００４７】
図１３はグループＩＤを用いた障害通知の機能説明図であり、図２と同一符号は同一部分を示す。又図１３の（Ａ）は低速側障害発生の高速側伝送装置の機能を示し、（Ｂ）はシャットダウン制御を行う高速側伝送装置の機能を示す。
【００４８】
図１４はグループＩＤによる動作説明図であり、（Ａ）はステップ（ｆ１），（ｆ２）によるグループＩＤの送出側の動作、（Ｂ）はステップ（ｇ１）〜（ｇ４）によるグループＩＤの受信側のそれぞれの動作を示す。以下図１２と図１３と図１４とを参照して説明する。
【００４９】
低速側伝送装置１３と低速側伝送装置１１との間でデータ通信を行っている状態に於いて、図１２のｆ点で障害が発生すると、高速側伝送装置３の入力監視部３６は、低速インタフェース部２３を介した入力信号の断を検出する（ｆ１）。又グループＩＤデータベース２５は、低速インタフェース部２３のポートとグループＩＤとを対応させて格納している。そこで、入力監視部３６からのポート対応の入力断検出信号により、グループＩＤ挿入部３５は、入力断ポート番号情報を基にグループＩＤデータベース２５を検索し、抽出したグループＩＤをＳＤＨフレームのペイロード内に挿入し、イースト側の高速ＩＦ部２１ａとウエスト側の高速ＩＦ部２１ｂとを介して送出する（ｆ２）。
【００５０】
高速側伝送装置３と対向してデータ通信を行っている状態の高速側伝送装置１以外の高速側伝送装置２，４に於いては、ＳＤＨフレームのペイロード内に挿入されたグループＩＤを抽出し、グループＩＤ比較部３３に於いてグループＩＤデータベース２５を参照し、自高速側伝送装置の低速インタフェース部２３に該当するポートが存在するか否かを判定し、該当するものが存在しない場合は、そのグループＩＤを次に転送する（ｇ１）。
【００５１】
高速側伝送装置１に於いては、グループＩＤを受信抽出し、グループＩＤ比較部３３に於いてグループＩＤデータベース２５を参照し、該当するポートが存在する場合は、シャットダウン制御部２４に通知する（ｇ２）。シャットダウン制御部２４は、通知されたグループＩＤのポートに対してシャットダウン制御を行う（ｇ３）。従って、低速インタフェース部２３は、該当ポートのシャットダウンを行う（ｇ４）。この場合、低速側伝送装置１１は、シャットダウン検出により迂回経路に切替える。
【００５２】
図１５はグループＩＤの挿入位置及びシャットダウン判定説明図であり、（Ａ）はＳＤＨフレームを示し、ＳＯＨ（Ｓｅｃｔｉｏｎ  Ｏｖｅｒ  Ｈｅａｄ）はセクションオーバーヘッド、ＰＹＲ（Ｐａｙｌｏａｄ）はペイロード、ＲＳＯＨ（Ｒｅｇｅｎｅｒａｔｏｒ  Ｓｅｃｔｉｏｎ  Ｏｖｅｒ  Ｈｅａｄ）は中継セクションオーバーヘッド、ＡＵＰＴＲ（Ａｄｍｉｎｉｓｔｒａｔｉｖｅ  ＵｎｉｔＰｏｉｎｔｅｒ）はＡＵポインタ、ＭＳＯＨ（Ｍｕｌｔｉｐｌｅｘ  Ｓｅｃｔｉｏｎ  Ｏｖｅｒ  Ｈｅａｄ）は端局セクションオーバーヘッド、ＰＯＨ（Ｐａｔｈ  Ｏｖｅｒ  Ｈｅａｄ）はパスオーバーヘッドを示す。
【００５３】
図１５の（Ａ）に於いては、パスオーバーヘッドＰＯＨを付加したＶＣ−３（Ｖｉｒｔｕａｌ  Ｃｏｎｔｅｉｎｅｒ−３）の先頭位置に、矢印で示すように、グループＩＤを挿入し、低速側障害発生時に、高速側伝送装置から光伝送路にこのグループＩＤを挿入したＳＤＨフレームを送出する。
【００５４】
又グループＩＤとシャットダウンとの条件は、図１５の（Ｂ）に示すように、転送されたグループＩＤが自ノードにない場合（自高速側伝送装置の低速インタフェース部２３のポート対応のグループＩＤが存在しない場合）、シャットダウンを行わず、そのグループＩＤを転送する。又自ノード内に存在する場合は、シャットダウン制御を行う。
【００５５】
図１６は疎通確認試験の機能説明図であり、低速インタフェース部２３の多重部３８と試験フレーム生成・モニタ部３９とを示し、試験フレーム生成・モニタ部３９は、図２に示すように、試験制御部４０からの制御に従って試験フレームの生成及び受信した試験フレームのモニタを行うものである。又多重部３８は、前述のように、レイヤ２スイッチの機能を含むものであるから、試験フレームの送信先アドレスと送信元アドレスとを基に、高速ネットワーク側に送出するものであるか、又は受信して試験フレーム生成・モニタ部３９に転送するかを制御することができる。
【００５６】
図１７は疎通確認試験のフローチャートを示し、試験制御部４０からの指示に従って、試験フレーム生成・モニタ部３９は、送信元アドレスＳＡと送信先アドレスＤＡとをヘッダに付与したＭＡＣフレームを生成して送出する（ｈ１）。多重部３８は、レイヤ２スイッチの機能により送信先アドレスＤＡをチェックして送信方向を決定し、高速側に送信する場合、ＳＤＨフレーム内に多重化するマッピング処理を行う（ｈ２）。
【００５７】
光伝送路を介して接続された対向装置側に於いては、この試験フレームを受信し、低速インタフェース部２３の多重部３８に於いて、前述のレイヤ２スイッチの機能により送信先ＤＡを識別して試験フレーム生成・モニタ部３９に転送する（ｈ３）。試験フレーム生成・モニタ部３９に於いては、その試験フレームのＣＲＣ（Ｃｙｃｌｉｃ  Ｒｅｄｕｎｄａｎｃｙ  Ｃｈｅｃｋ）等により正常に受信したか否かを判定し（ｈ４）、試験制御部４０に通知する。従って、ＭＡＣフレームの送信先アドレスＤＡと送信元アドレスＳＡとの間の疎通確認を行うことができる。
【００５８】
図１８はＳＤＨフレームの説明図であり、ＳＯＨはセクションオーバヘッド、ＰＹＲはペイロードを示し、このペイロードＰＹＲに、ＭＡＣフレームをマッピングするものである。即ち、試験フレームと、試験信号を含まない通常のフレームとをペイロードＰＹＲにマッピングする。この試験フレームには、例えば、対向装置側の試験フレーム生成・モニタ部のアドレスを送信先アドレスとすることにより、多重部３８のレイヤ２スイッチの機能によって試験フレーム生成・モニタ部３９に試験フレームを転送することができる。
【００５９】
図１９はＳＤＨフレームの伝送説明図であり、高速側伝送装置５１〜５４を二重リング型の光伝送路により接続して高速ネットワークを構成し、高速側伝送装置５１に接続した低速側伝送装置と、高速側伝送装置５３に接続した低速側伝送装置とを対向装置６１，６２とし、高速側伝送装置５１，５３間で試験フレームを伝送する場合を示す。
【００６０】
又高速側伝送装置５１，５２，５３の経路が運用系、高速側伝送装置５１，５４，５３の経路が予備系の場合を示し、高速ネットワークではＳＤＨフレームとして伝送し、低速側伝送装置との間はＭＡＣフレームとして伝送する場合を示す。従って、高速側伝送装置５１に於いて試験フレームを生成し、ＳＤＨフレームにマッピングして送出し、高速側伝送装置５３は、このＳＤＨフレームから試験フレームを抽出し、前述のように、試験フレームのＣＲＣ符号のチェック等により疎通確認を行うことができる。この場合、ＳＤＨフレームのペイロード内に試験フレームをマッピングするものであるから、他のフレームによる通信には影響を与えないことになる。
【００６１】
図２０はトラフィック監視による試験フレーム送出の説明図であり、低速インタフェース部２３の要部の機能を示し、図２と同一符号は同一部分を示す。トラフィック監視部３７は、常時、イースト側とウエスト側との両系のＳＤＨフレームにマッピングされたＭＡＣフレームについて監視し、空きが生じているか否かを判定し、空きが生じている場合に、試験制御部４０に通知する。
【００６２】
試験制御部４０は、試験フレーム生成・モニタ部３９に試験フレームの送信を指示する。それにより、試験フレーム生成・モニタ部３９は、前述のように、指示された送信先アドレスをＭＡＣフレームのヘッダに付加し、多重部３８に送出する。多重部３８は、前述のように、レイヤ２スイッチの機能により送信先アドレスを識別して、信号編集部２２に転送し、ＳＤＨフレームのペイロードにマッピングし、イースト側とウエスト側との両系に送出する。即ち、図１９に示すように、通常のフレームと試験フレームとをペイロードにマッピングしたＳＤＨフレームを高速ネットワークを介して伝送することができる。この場合の処理フローチャートは、図１７に示す場合と同様となる。
【００６３】
又図１９に於いて、運用系のパスを介して試験フレームを伝送する場合を示すが、予備系のパスを介して試験フレームを伝送し、運用系に対して全く影響を与えることなく、試験フレームの伝送を行うことも可能である。
【００６４】
（付記１）高速インタフェース部と、低速インタフェース部とを含む複数の高速側伝送装置の前記高速インタフェース部に、冗長構成の高速ネットワークを接続し、前記低速インタフェース部に低速側伝送装置を介して迂回経路に切替可能の低速ネットワークを接続し、該低速ネットワーク又は前記低速側伝送装置に接続された端末装置間でデータを伝送するネットワーク制御システムに於いて、前記高速側伝送装置は、前記高速インタフェースを介した現用系と予備系との信号断検出又は警報受信検出を行う警報検出部と、該警報検出部により前記現用系と前記予備系との両系の信号断検出又は警報受信検出により前記低速側伝送装置に対してシャットダウンを行うシャットダウン制御部とを有することを特徴とするネットワーク制御システム。
（付記２）前記高速側伝送装置は、前記低速インタフェース部を介した前記低速側伝送装置からの信号断を検出する入力監視部と、該入力監視部により信号断を検出した時に、前記高速インタフェース部を介して前記現用系と前記予備系との両系に警報信号を挿入するオーバヘッド処理部とを有することを特徴とする付記１記載のネットワーク制御システム。
（付記３）前記低速側伝送装置は、前記高速側伝送装置からのシャットダウンにより、前記低速ネットワークを介した迂回経路に切替える切替制御部を有することを特徴とする付記１記載のネットワーク制御システム。
【００６５】
（付記４）前記高速側伝送装置は、グループＩＤデータベースと、前記低速側伝送装置に於ける入力断となったポートのグループＩＤを前記グループＩＤデータベースを参照してＳＤＨフレームに挿入するグループＩＤ挿入部と、前記グループＩＤを受信して前記グループＩＤデータベースを参照して自装置のポートか否かを判定するグループＩＤ比較部と、自装置のポートの場合に、該ポートに対してシャットダウン制御を行うシャットダウン制御部とを含む構成を有することを特徴とする付記１記載のネットワーク制御システム。
（付記５）前記高速側伝送装置は、試験制御部と、該試験制御部からの制御に従って試験フレームを生成し、且つ受信した試験フレームをモニタする試験フレーム生成・モニタ部と、トラフィックを監視して前記試験フレームの送出の可否を前記試験制御部に通知するトラフィック監視部とを有することを特徴とする付記１記載のネットワーク制御システム。
（付記６）前記高速側伝送装置は、前記試験フレーム生成・モニタ部から生成した試験フレームを、前記高速ネットワークを介して伝送するＳＤＨフレームのペイロードに挿入して送出する構成を有することを特徴とする付記１記載のネットワーク制御システム。
【００６６】
（付記７）高速インタフェース部と、低速インタフェース部とを含む複数の高速側伝送装置の前記高速インタフェース部に、冗長構成の高速ネットワークを接続し、前記低速インタフェース部に低速側伝送装置を介して迂回経路に切替可能の低速ネットワークを接続し、該低速ネットワーク又は前記低速側伝送装置に接続された端末装置間でデータを伝送するネットワーク制御システムに於ける障害救済方法に於いて、前記高速側伝送装置は、前記高速インタフェース部を介した現用系と予備系との両系の信号断検出又は該両系からの警報受信検出時に、前記低速インタフェース部を介して前記低速側伝送装置に対してシャットダウンを行う過程を含むことを特徴とする障害救済方法。
（付記８）前記低速インタフェース部を介した前記低速側伝送装置からの信号断検出時に、前記高速インタフェース部を介して前記現用系と前記予備系との両系に警報信号を送出する過程を含むことを特徴とする付記７記載の障害救済方法。
（付記９）前記低速側伝送装置は、前記高速側伝送装置の前記低速インタフェース部によるシャットダウンを検出して、前記低速ネットワークを介した迂回経路に切替える過程を含むことを特徴とする付記７記載の障害救済方法。
（付記１０）前記高速ネットワークを介して伝送するＳＤＨフレームのペイロードに、試験フレームを挿入して伝送して、疎通確認試験を行う過程を含むことを特徴とする付記７記載の障害救済方法。
【００６７】
【発明の効果】
以上説明したように、本発明は、高速ネットワークと低速ネットワークとを含むネットワークに於いて、高速ネットワークの現用系と予備系との両系の信号断検出又は警報受信検出時に、高速側伝送装置の低速インタフェース部は、低速側伝送装置に対してシャットダウン制御を行い、低速側伝送装置は、そのシャットダウンに従って迂回経路に切替えることにより、ハローパケットの送受信を繰り返す従来例に比較して迅速に切替えることができる利点がある。又低速側伝送装置からの信号断検出により、高速側伝送装置は、現用系と予備系との両系に警報信号を送出することにより、対向側の高速側伝送装置は、両系からの警報信号を検出して、低速側伝送装置に対するシャットダウン制御を行い、低速側伝送装置に於いて迅速に迂回経路への切替えを行うことができる利点がある。
【図面の簡単な説明】
【図１】本発明の実施の形態のネットワーク制御システムの説明図である。
【図２】高速側伝送装置の要部機能ブロック図である。
【図３】両系断時の説明図である。
【図４】両系断時の動作説明図である。
【図５】両系のＬＯＳ又はＰ−ＡＩＳ検出時の説明図である。
【図６】入力監視部に於ける障害検出時の説明図である。
【図７】入力断検出時の説明図である。
【図８】入力断検出時の説明図である。
【図９】障害発生時の説明図である。
【図１０】障害発生時の処理説明図である。
【図１１】障害発生時のフローチャートである。
【図１２】低速側障害発生時の説明図である。
【図１３】グループＩＤを用いた障害通知の機能説明図である。
【図１４】グループＩＤによる動作説明図である。
【図１５】グループＩＤの挿入位置及びシャットダウン判定説明図である。
【図１６】疎通確認試験の説明図である。
【図１７】疎通確認試験のフローチャートである。
【図１８】ＳＤＨフレームの説明図である。
【図１９】試験フレームの伝送説明図である。
【図２０】トラフィック監視による試験フレーム送出の説明図である。
【図２１】ネットワークの説明図である。
【符号の説明】
１〜４  高速側伝送装置
５  光伝送路
６  低速インタフェース部
７  監視装置
１０  低速ネットワーク
１１〜１３  低速側伝送装置
２１ａ，２１ｂ  高速ＩＦ部
２２  信号編集部
２３  低速インタフェース部
２４  シャットダウン制御部
２５  グループＩＤデータベース
３２  オーバヘッド処理部
３３  グループＩＤ比較部
３４  警報検出部
３５  グループＩＤ挿入部
３６  入力監視部
３７  トラフィック監視部
３８  多重部
３９  試験フレーム生成・モニタ部
４０  試験制御部
【図１】
0003925264.tif 000002
【図２】
0003925264.tif 000003
【図３】
0003925264.tif 000004
【図４】
0003925264.tif 000005
【図５】
0003925264.tif 000006
【図６】
0003925264.tif 000007
【図７】
0003925264.tif 000008
【図８】
0003925264.tif 000009
【図９】
0003925264.tif 000010
【図１０】
0003925264.tif 000011
【図１１】
0003925264.tif 000012
【図１２】
0003925264.tif 000013
【図１３】
0003925264.tif 000014
【図１４】
0003925264.tif 000015
【図１５】
0003925264.tif 000016
【図１６】
0003925264.tif 000017
【図１７】
0003925264.tif 000018
【図１８】
0003925264.tif 000019
【図１９】
0003925264.tif 000020
【図２０】
0003925264.tif 000021
【図２１】
0003925264.tif 000022